(57)【特許請求の範囲】
【請求項１】
タービン翼組立体（２）であって、
ａ）根元部（４）、羽根部（３）及び少なくとも根元部に形成され、第１の入口及び出口（７２）を有する冷却流体流路（１４、１５）と、
ｂ）根元部に隣接する冷却流体配流装置（１０）とより成り、
冷却流体配流装置は、
（ｉ）冷却流体の流れ（６０）を受けてこの冷却流体を第１の冷却流通路（４６）に連通させる第１の供給ポート（２５）と、
（ｉｉ）冷却流体流路の第１の入口と流れ連通関係にあるため、第１の冷却流通路（４６）への冷却流体の流れの少なくとも第１の部分（６２）を冷却流体流路の第１の入口に流入させる第１の排出ポート（２６）と、
（ｉｉｉ）冷却流体流路の出口（７２）と流れ連通関係にあるため、冷却流体流路の第１の入口に流入する冷却流体の流れを受けてこの冷却流体を第２の冷却流通路（４８）に流入させる第２の供給ポート（２８）とより成り、
第１及び第２の冷却流通路（４６、４８）は共通の管状部材（１０）により画定され、さらにこれらの冷却流通路を分離するバッフル組立体（１１）を有することを特徴とするタービン翼組立体（２）。
【請求項２】
ａ）冷却流体流路はさらに第２の入口（７０）を有し、
ｂ）冷却流体配流装置はさらに第２の排出ポート（３０）を有し、第２の排出ポートは第２の入口（７０）及び第１の冷却流通路（４６）と流れ連通関係にあるため、冷却流体の流れの第２の部分（６４）を冷却流体流路の第２の入口（７０）に排出する請求項１のタービン翼組立体。
【請求項３】
冷却流体流路の第１の入口及び第２の入口（７０）は冷却流体流路の出口（７２）と流れ連通関係にあるため、冷却流体配流装置の第２の供給ポート（２８）が冷却流体の流れの第１（６２）及び第２（６４）の部分を受ける請求項２のタービン翼組立体。
【請求項４】
冷却流体流路は根元部（４）から羽根部（２）へ半径方向外方に延びる複数の通路（１４）を有し、これらの通路はそれぞれ根元部（４）に形成した開口を有し、冷却流体流路の第１の入口は前記通路の開口を構成する請求項１のタービン翼組立体。
【請求項５】
冷却流体配流装置（１０）は内部に形成した第１のチェンバ（４０）を有し、第１のチェンバは、冷却流体の流れの第１の部分（６２）を各通路の開口に分配するマニホルドを形成し、また第１の冷却流通路（４６）の少なくとも一部を形成する請求項４のタービン翼組立体。
【請求項６】
バッフル組立体（１１）は管状部材（１０）の内部に少なくとも第１（４０）及び第２（４２）のチェンバを形成し、第２のチェンバが第２の冷却流通路（４８）の少なくとも一部を形成する請求項１のタービン翼組立体。
【請求項７】
第１のチェンバ（４０）は、第１の供給ポート（２５）及び第１の排出ポート（２６）と流れ連通関係にあるため、冷却流体の流れの第１の部分（６２）が第１の供給ポートから第１のチェンバを介して第１の排出ポートへ流入する請求項６のタービン翼組立体。
【請求項８】
ａ）冷却流体流路はさらに第２の入口（７０）を有し、
ｂ）冷却流体配流装置はさらに第２の排出ポート（３０）を有し、第２の排出ポートは冷却流体流路の第２の入口（７０）と流れ連通関係にあるため、第２の排出ポート（３０）は第１の供給ポート（２５）が受ける冷却流体の流れの第２の部分（６４）を冷却流体流路の第２の入口（７０）に排出し、
ｃ）バッフル組立体（１１）はさらに管状部材の内部に第３のチェンバ（４４）を形成し、第３のチェンバは第２の排出ポート（３０）及び第１のチェンバ（４０）と流れ連通関係にあるため、第１の供給ポート（２５）が受ける冷却流体の流れの第２の部分（６４）が第３のチェンバ（４４）を介して第２の排出ポート（３０）へ流入する請求項７のタービン翼組立体。
【請求項９】
冷却流体配流装置はさらに第３の排出ポート（３１）を有し、第３の排出ポートは第２の供給ポート（２８）及び第２のチェンバ（４２）と流れ連通関係にあるため、第２の供給ポート（２８）が冷却流体流路（１４、１５）の出口（７２）から受ける冷却流体（６６）が第２のチェンバ（４２）を介して第３の排出ポート（３１）から流出する請求項８のタービン翼組立体。
【発明の詳細な説明】
本発明は、ガスタービンのようなターボ機械用の回転翼に関し、さらに詳細には、冷却空気を翼冷却空気通路へ配流する配流装置を備えたガスタービン回転翼に関する。
【０００１】
ガスタービンのタービン部は、一連のディスクに動翼が固着されたロータを有する。燃焼部からの高温ガスは、これらの動翼上を流れることによりロータ軸に回転出力を与える。ガスタービンから得られるエネルギー出力を最大限にするには、ガスの温度をできるだけ高くして運転することが望ましい。しかしながら、高いガス温度で運転を行うには動翼の冷却が必要である。これは、動翼を構成する材料の強度が温度の上昇につれて減少するからである。
【０００２】
伝統的に、タービン翼は冷却空気を翼に通すことにより冷却する。通常、冷却空気はコンプレッサ部を出た空気から抽出して、燃焼プロセスを迂回させ、タービンのロータへ送る。ロータは冷却空気を翼の根元部へ配流する。この空気は、翼の根元部から該翼の羽根部に形成した多数の冷却通路を流れる。これらの通路は通常、翼の頂部及び前端及び後端部のような翼表面に形成した開口で終端する。従って、冷却後、使用済みの冷却空気は、タービン部を流れタービンの排気部から放出される高温のガス中へ流入する。かかるタービン翼の冷却方式は、全体を本明細書の一部として引用する米国特許第５，１１７，６２６（発明者：North et al.）に記載されている。この方式では、翼の根元部に形成した種々の冷却通路入口へ冷却空気を適正に分配するのが困難なことが多い。
【０００３】
さらに、最近、使用済み冷却空気をコンプレッサの排気空気中へ戻すかあるいは燃焼器へ直接流入させて燃焼プロセスに取り込むようにした閉ループ冷却システムの開発に努力が傾注されている。別の方式として、使用済み冷却空気を冷却してタービンのロータへ戻すことによりさらに冷却を行わせるようにした閉ループ冷却システムを利用することがある。しかしながら、かかる閉ループ冷却空気システムは、供給される冷却空気を冷却通路に分配するだけでなく、排出される冷却空気を冷却空気通路からシステムへ戻す必要があるため、空気の配流の問題が一層深刻である。このため、翼内の冷却通路の幾何学的形状がさらに複雑になる可能性がある。
【０００４】
従って、冷却空気をタービン翼の冷却空気通路へ分配するための、そして閉ループシステムにおいて、使用済み冷却空気を冷却通路から捕集するための装置を提供することが望ましい。
【０００５】
【発明の概要】
従って、本発明の一般的な目的は、冷却空気をタービン翼の冷却空気通路へ分配するための、そして閉ループシステムにおいて、使用済み冷却空気を冷却通路から捕集するための装置を提供することにある。
【０００６】
簡単に述べると、本発明の上記及び他の目的は、根元部、羽根部及び冷却流体配流装置より成るタービン翼組立体により達成される。根元部に形成される冷却流体流路は、第１の入口と出口とを有する。冷却流体配流装置は、冷却流体の流れを受ける第１の供給ポートと、第１の排出ポートとを有する。第１の排出ポートは、冷却流体流路の第１の入口と流れ連通関係にあるため、第１の排出ポートが冷却流体の流れの少なくとも第１の部分を冷却流体流路の第１の入口へ流入させる。冷却流体配流装置は第２の供給ポートも有する。この第２の供給ポートは、冷却流体流路と流れ連通関係にあるため、第２の供給ポートが冷却流体流路の第１の入口に流入する冷却流体の少なくとも一部を受ける。
【０００７】
１つの実施例において、冷却流体流路はさらに第２の入口を有し、冷却流体配流装置は第２の排出ポートを具備する。第２の排出ポートは、第２の入口と流れ連通関係にあるため、第２の排出ポートが冷却流体の流れの第２の部分を冷却流体通路の第２の入口へ流入させる。
【０００８】
別の実施例において、冷却流体配流装置はさらに、第２の供給ポートと流れ連通関係にある第３の排出ポートを有する。このため、第２の供給ポートが受ける冷却流体をタービン翼から排出することが可能である。
【０００９】
【好ましい実施例の説明】
図面を参照して、図１は、ロータ６に取り付けた本発明のタービン翼組立体を示す。この翼組立体は、タービン翼２と、冷却空気配流装置１０とより成る。従来と同様、タービン翼２は羽根部３と根元部４とより成る。羽根部３は、根元部４に隣接する基部と、その末端の先端部とを有する。従って、羽根部３の先端部は翼２の一方の端部を、また根元部４は翼のもう一方の端部を構成する。翼２の羽根部３は、羽根の圧力表面を形成する一般的に凹面の壁と、羽根の吸込表面を形成する一般的に凸面の壁とにより形成されている。これらの壁は、その上流端及び下流端で合流して、羽根部３のそれぞれ前端部１２及び後端部１３を形成する。
【００１０】
図２に示すように、羽根部３は実質的に中空であり、内部に冷却空気流路が形成されている。冷却空気流路は第１及び第２の部分より成り、これらは流路２２で合流し、翼の根元部３の底部に形成した単一の出口７２で終端する。冷却空気流路の第１の部分は、後端部１３に隣接する翼部分に形成した複数の半径方向に延びる通路１４より成る。これらの半径方向通路４４はそれぞれ、根元部４の底部に形成した開口を有する。これらの開口は、冷却空気流路の第１の部分の入口を構成する。半径方向通路１４は根元部４及び羽根部３を貫通して、翼の先端部に隣接する開口で終端する。
【００１１】
冷却空気流路の第２の部分は、蛇状の流路１５より成る。この蛇状の流路１５は、根元部４の底部に位置する入口７０を有する。半径方向の流路１６−２２が、この入口７０を出口７２と連通させる。本発明の好ましい実施例には、羽根の表面において冷却空気を羽根部３から排出して翼２０を流れる高温ガス中に流入させる冷却空気用出口は存在しない。従って、翼に供給される冷却空気は全て翼の根元部４に形成した冷却空気流路の出口７２を介して排出される。
【００１２】
図１に示すように、翼の根元部４は、従来通り、ロータ６の溝８に、その溝８に形成した鋸歯状部と係合する根元部の相補的な鋸歯状部によって固定されている。しかしながら、本発明によると、細長い冷却空気配流装置１０またはプレナム管が、根元部４の下方において根元部の底部と溝８の底面との間に位置する。プレナム管１０は、翼の根元部２の底部に溶接またはろう付けするのが好ましい。図３−８に示すように、プレナム管１０は、カバー２４で覆われたほぼＵ字形のチャンネル３４を有する。縦方向に延びるフィン３２は、プレナム管１０と翼の根元部４の間の接合が破壊された場合でも、該管がロータの溝８に確実に適正配置されるようにする。
【００１３】
図３及び８において最もよく分かるように、プレナム管１０の前端部及び後端部は開いている。この開いた前端部は、プレナム管１０の第１の供給ポート２５を構成する。図３及び４において最もよく分かるように、カバー２４には３つの開口が形成されている。第１及び第３の開口はそれぞれ、第１の排出ポート２６及び第２の排出ポート３０を構成する。管１０の開いた後端部は、第３の排出ポート３１を構成する。カバー２４の第２の開口は、第２の供給ポート２８を形成する。
【００１４】
図５−８において最もよく分かるように、プレナム管１０の内部にはバッフル組立体１１が設けられている。このバッフル組立体１１は、プレナム管１０の長さの約３分の２延びるのが好ましい。このバッフル組立体は、壁５０−５６より成る。壁５２は、垂直方向に向いて、プレナム管１０の中心に沿い縦方向に延びる。壁５０及び５８もまた垂直方向に向いているが、バッフル組立体１１のそれぞれ前方及び後方を横方向に延びる。壁５０及び５８はプレナム管１０の内部の断面積の一部を塞ぐに過ぎないため、壁５２は縦方向に延びる通路４６、４８を形成することができる。壁５４及び５６は、傾斜して、低い壁５２の上端からカバー２４へ延びる。図６及び７において最もよく分かるように、壁５４及び壁５６は、横方向であるが反対に傾斜している。壁５５は、壁５４と５６をバッフル組立体１１の長さのほぼ中間部で連結する。
【００１５】
この幾何学的形状により、図８において最もよく分かるように、バッフル組立体１１は、プレナム管１０の内部を、第１のプレナムチェンバ４０、第２のプレナムチェンバ４２、第３のプレナムチェンバ４４、及び縦方向に延びる第１及び第２の通路４６、４８に分割する。第１の通路４６は、第２のチェンバ４２の側部に沿う位置にあり、第１及び第３のチェンバのそれぞれと連通する。第２の通路４８は、第３のチェンバ４４の側部に沿う位置にあり、第２のチェンバ４２を第３の排出ポート３１に連通させる。
【００１６】
プレナム管１０は、金属合金を機械加工するかまたは鋳造したものが好ましい。しかしながら、このプレナム管をセラミック材料で形成することも可能である。
【００１７】
動作について説明すると、ロータ６へ供給される冷却空気６０は、プレナム管１０の前端部の供給ポート２５へ送り込まれ、そこから第１のチェンバ４０へ流入する。図２及び８において最もよく分かるように、供給空気６０の第１の部分６２は、カバー２４に形成した第１の排出ポート２６を介して第１のチェンバ４０から流出し、冷却空気流路の半径方向通路１４内に流入する。従って、第１のチェンバ４０は、冷却空気の第１の部分６２を半径方向通路１４の各開口へ分配するマニホルドとして働く。
【００１８】
冷却空気６０の第２の部分６４は、第１のチェンバ４０から通路４６へ流入するが、この通路は冷却空気のその部分を第３のチェンバ４４へ送り込む。冷却空気の第２の部分６４は、第３のチェンバ４４から第２の排出ポート３０を介して蛇状通路１５の入口７０へ流入する。冷却空気の第２の部分６４はその後、蛇状通路１５の通路部分１６、１８、２０を介して通路２２へ流入する。この通路２２において、冷却空気の第２の部分６４は半径方向通路１４を出た冷却空気の第１の部分６２と合流する。合流した冷却空気６６はその後、通路２２を通って冷却空気流路の出口７２へ流入する。
【００１９】
冷却空気６６は、冷却空気流路７２から第２の供給ポート２８を介して再びプレナム管１０に流入し、第２のチェンバ４２へ入る。その後、冷却空気６６は第２のチェンバ４２から通路４８を介してプレナム管の第３の排出ポート３１へ流入し、そこでタービン翼を出て冷却システムへ戻される。
【００２０】
冷却空気６０を翼に形成した種々の冷却空気通路に分配した後、使用済み冷却空気を冷却空気通路から捕集して翼から排出することにより、プレナム管１０は、好ましい実施例に説明するように特に閉ループ冷却空気方式に用いる場合、冷却空気の配流を単純化する。加えて、カバー２４の開口２６−３０のサイズを調整することにより、種々の通路への冷却空気の流量を正確に決定することができる。この点に関して、好ましい実施例では、排出ポート２６、３０及び供給ポート２８をカバー２４の開口により構成するが、このカバーを省略して、排出ポート２６、３０をそれぞれチェンバ４０、４４の開いた頂部とし、また供給ポート２８をチェンバ４２の開いた頂部とすることも可能であることに注意されたい。
【００２１】
本発明をタービン翼の閉ループ冷却空気システムについて説明したが、本発明は開ループ冷却空気システム及び空気以外の冷却媒体を用いる冷却システムにも同様に利用可能である。従って、本発明は、その精神または本質的特徴から逸脱することなく他の特定の態様でも実施可能であり、かくして本発明の範囲については上記説明でなくて頭書の特許請求の範囲を参照すべきである。
【図面の簡単な説明】
【図１】  図１は、タービンのロータに取付けた本発明の冷却空気配流用管を備えたタービン翼を示す。
【図２】  図２は、図１のタービン翼の縦方向断面の一部概略図である。
【図３】  図３は、図１の冷却空気配流装置の斜視図である。
【図４】  図４は、図３に示す冷却空気配流装置の平面図である。
【図５】  図５は、図４の線Ｖ−Ｖに沿う横断面図である。
【図６】  図６は、図４に示す線ＶＩ−ＶＩに沿う横断面図である。
【図７】  図７は、図４に示す線ＶＩＩ−ＶＩＩに沿う横断面図である。
【図８】  図８は、図７に示す線ＶＩＩＩ−ＶＩＩＩに沿う図３と同様な斜視図であるが、カバーを簡略図示のため取り外した状態で示す。
【図１】
0004240812.tif 000002
【図２】
0004240812.tif 000003
【図３】
0004240812.tif 000004
【図４】
0004240812.tif 000005
【図５】
0004240812.tif 000006
【図６】
0004240812.tif 000007
【図７】
0004240812.tif 000008
【図８】
0004240812.tif 000009